(57)【要約】【課題】  光硬化性プリプレグを骨材や壁材等の高強度構造材に適用できるように工夫することにより、主要な構造材を現場で製作しながら同時に構造物自体を建築することができ、大幅な工期の短縮と建築コストの低減を図ることができる繊維強化プラスチック製構造体の製造方法を提供する。【解決手段】  下部構造体２に取り付けた内膜材３を膨張させる内膜材膨張工程と、光硬化性プリプレグ９によりプリプレグ層状材１０を形成するプリプレグ層状材形成工程と、プリプレグ層状材１０を内膜材３上に配置するプリプレグ層状材配置工程と、プリプレグ層状材１０に真空圧接用フィルム１２を被覆する真空圧接用フィルム被覆工程と、真空圧接用フィルム１２内の空気を吸引し、プリプレグ層状材１０を圧接するプリプレグ真空圧接工程と、プリプレグ層状材１０に光を照射して硬化させる光硬化工程とを有している。【選択図】  図１
2005172180.tif 000002
【特許請求の範囲】
【請求項１】
下部構造体に取り付けた内膜材の内側に空気を送入し、この内膜材を所定の形状に膨張させる内膜材膨張工程と、
１枚または複数枚の光硬化性プリプレグを層状に重ねてプリプレグ層状材を形成するプリプレグ層状材形成工程と、
このプリプレグ層状材を前記内膜材の外表面に沿って配置するプリプレグ層状材配置工程と、
前記内膜材および前記プリプレグ層状材の外側に光透過性の真空圧接用フィルムを密閉状態に被覆する真空圧接用フィルム被覆工程と、
この真空圧接用フィルムと前記内膜材との間の空気を吸引して真空状態にすることにより、これら真空圧接用フィルムおよび前記内膜材によって前記プリプレグ層状材を内外から圧接し、これを構成する各光硬化性プリプレグ同士を圧接するプリプレグ真空圧接工程と、
この圧接状態にあるプリプレグ層状材に光を照射して硬化させる光硬化工程と
を有していることを特徴とする繊維強化プラスチック製構造体の製造方法。
【請求項２】
請求項１において、プリプレグ層状材配置工程において使用するプリプレグ層状材は、光透過性芯材の外周に光硬化性プリプレグを積層または巻かれて層状に形成されていることを特徴とする繊維強化プラスチック製構造体の製造方法。
【請求項３】
請求項１または請求項２において、プリプレグ層状材を硬化させた後に、このプリプレグ層状材に接着した内膜材を剥離する内膜材剥離工程を有することを特徴とする繊維強化プラスチック製構造体の製造方法。
【請求項４】
請求項１または請求項２において、プリプレグ層状材配置工程において使用するプリプレグ層状材のうち、少なくとも内膜材に接触する面を接着防止処理する接着防止処理工程を有することを特徴とする繊維強化プラスチック製構造体の製造方法。
【請求項５】
請求項１または請求項２において、プリプレグ層状材配置工程において使用するプリプレグ層状材は、接着部以外の部分が光透過性の接着防止筒状フィルムによって被覆されていることを特徴とする繊維強化プラスチック製構造体の製造方法。
【発明の詳細な説明】
【技術分野】
【０００１】
本発明は、繊維強化プラスチック製構造体の製造方法に関し、特に、光硬化性プリプレグを構造材に適用する技術であり、家畜の糞尿を嫌気性発酵させて得られる、いわゆるバイオガスを貯留するのに好適な繊維強化プラスチック製構造体の製造方法に関するものである。
【背景技術】
【０００２】
従来から、家畜の糞尿等の有機廃棄物の分解により生成したメタンガス等のバイオガスを貯留する装置としてテント式のバイオガスドームが知られている。このバイオガスドームは、一般に直径１０ｍ〜２０ｍの半円球状の構造体であり、基礎となる円筒状の外壁と、この円筒状外壁の上部に可撓性を有する半球状の貯留テントとから構成されている。このようなバイオガスドームは、我が国ではほどんどが輸入品であり、１基当たり数千万円規模の費用がかかっている。近年、牛や豚の家畜糞尿が野積みにされて河川や土壌を汚染する環境問題が発生しているが、家畜糞尿をバイオガスプラントとして処理したくても、前述した費用の問題が障害となって十分普及していないのが現状である。
【０００３】
現在最も普及しているタイプのバイオガスドームは、半球状の貯留テントが可撓性の二重膜構造に形成されている。この二重膜構造では、内側シートがバイオガスの増減に応じて膨らんだり縮んだり適応し、外側シートが常に空気圧によって膨張し形状を保持している。しかし、二重膜構造のバイオガスドームは、外側シートの形状を保持するために加圧システムが必要であることからイニシャルコストの負担が大きい。さらに外側シートを一定圧で保持するための制御をし続ける必要があるためランニングコストの負担も大きいという問題がある。
【０００４】
ところで、バイオガスドームに関する特許出願としては、例えば特開２００３−７４７９７号公報に記載された発明がある。この発明は、基礎円筒体の上部に円弧状フレームを構築し、その外側に半球状のガス貯留テントを展張させた構造を有している。
【０００５】
【特許文献１】特開２００３−７４７９７号公報
【発明の開示】
【発明が解決しようとする課題】
【０００６】
しかしながら、特許文献１によれば、二重膜構造のバイオガスドームに比べれば加圧保持システムが不要であるためコスト低減を図ることができる。しかし、円弧状フレーム等の構造材は従来の鉄製フレームを使用しているため、予め工場で生産し、酪農地帯にまで運ばなければならず、運搬コストが嵩む。
【０００７】
本発明は、このような従来の問題点を解決するためになされたものであって、光硬化性プリプレグを骨材や壁材等の高強度構造材に適用できるように工夫することにより、主要な構造材を現場で製作しながら同時に構造物自体を建築することができ、大幅な工期の短縮と建築コストの低減を図ることができる繊維強化プラスチック製構造体の製造方法を提供することを目的としている。
【課題を解決するための手段】
【０００８】
本発明に係る繊維強化プラスチック製構造体の製造方法の特徴は、下部構造体に取り付けた内膜材の内側に空気を送入し、この内膜材を所定の形状に膨張させる内膜材膨張工程と、１枚または複数枚の光硬化性プリプレグを層状に重ねてプリプレグ層状材を形成するプリプレグ層状材形成工程と、このプリプレグ層状材を前記内膜材の外表面に沿って配置するプリプレグ層状材配置工程と、前記内膜材および前記プリプレグ層状材の外側に光透過性の真空圧接用フィルムを密閉状態に被覆する真空圧接用フィルム被覆工程と、この真空圧接用フィルムと前記内膜材との間の空気を吸引して真空状態にすることにより、これら真空圧接用フィルムおよび前記内膜材によって前記プリプレグ層状材を内外から圧接し、これを構成する各光硬化性プリプレグ同士を圧接するプリプレグ真空圧接工程と、この圧接状態にあるプリプレグ層状材に光を照射して硬化させる光硬化工程とを有している点にある。
【０００９】
また、本発明において、構造材の曲げ剛性を高めるために、プリプレグ層状材配置工程において使用するプリプレグ層状材は、光透過性芯材の外周に光硬化性プリプレグを積層または巻かれて層状に形成されていることが好ましい。
【００１０】
さらに、本発明において、特にバイオガスドームとして用いる場合には、プリプレグ層状材を硬化させた後に、このプリプレグ層状材に接着した内膜材を剥離する内膜材剥離工程を有することが好ましい。
【００１１】
また、本発明において、特にバイオガスドームとして用いる場合には、プリプレグ層状材配置工程において使用するプリプレグ層状材のうち、少なくとも内膜材に接触する面を接着防止処理する接着防止処理工程を有することが好ましい。
【００１２】
さらに、本発明において、特にバイオガスドームとして用いる場合には、プリプレグ層状材配置工程において使用するプリプレグ層状材は、接着部以外の部分が光透過性の接着防止筒状フィルムによって被覆されていることが好ましい。
【発明の効果】
【００１３】
本発明によれば、耐雪効果の高いバイオガスドームを提供できることはもちろん、光硬化性プリプレグを使って骨材や壁材等の高強度構造材を製造できるようになり、このような主要な高強度構造材を建築現場において製作しながら同時に構造物を建築することにより工期を短縮させられるし、製造コスト、建築コスト及び運搬コストの低減を図ることができる。
【発明を実施するための最良の形態】
【００１４】
以下、本発明に係る繊維強化プラスチック製構造体１（以下、ＦＲＰ製構造体１）の製造方法の実施形態について図面を用いて説明する。図１は、本実施形態におけるＦＲＰ製構造体１の製造方法を示すフローチャート図であり、本実施形態では主に半球状屋根を備えているバイオガスドームを想定して説明する。
【００１５】
本実施形態の製造方法は、主として内膜材膨張工程と、プリプレグ層状材形成工程と、接着防止処理工程と、プリプレグ層状材配置工程と、真空圧接用フィルム被覆工程と、プリプレグ真空圧接工程と、光硬化工程と、接着部剥離工程と、外膜材被覆工程とから構成される（ステップＳ１〜ステップＳ９）。
【００１６】
まず、内膜材膨張工程は、コンクリート等から構成される下部構造体２に、ゴム引布等から構成される可撓性の内膜材３を気密状態に取り付け、この内膜材３の内側に空気を送入する工程である（ステップＳ１）。この工程で使用される内膜材３は、通常のゴム引布でもよいが、光透過性のある可撓性素材であればより好ましい。後述する光硬化工程の際に内膜材３の内側からも光を照射できて一層効果的に硬化できるからである。
【００１７】
内膜材３の取り付け方法は、気密性を保持できれば一般的な方法を用いてよいが、本実施形態では、図２に示すような方法により垂直面に連結している。まず、図２（ａ）に示すように、略円筒状の下部構造体２の上周端部に、ＦＲＰ製の下地材４をプライマー処理した上で接着被覆し、コンクリートの粗面を平滑面に形成する。続いて、このＦＲＰ平滑側面に内膜材３の端縁を重ね、この上から溶融亜鉛メッキされた鉄等から構成される押え板５をボルト６で固定する。これにより、内膜材３は下地材４に気密状態に取り付けられ、下部構造体２に形成した開口部２１から給気ブロワ７により空気を送入すると、図３に示すように、内膜材３の内側に空気が充填され、半球状に膨張する。なお、本実施形態では、内膜材３を光硬化性プリプレグ９の成形型として利用するため、その内圧を約３．９ｋＰａ以上に設定している。また、本実施形態では、内膜材３をＦＲＰ平滑側面に沿って取り付けているが、必要に応じて上面に取り付けるようにしてもよい。
【００１８】
また、図３に示すように、下部構造体２にの内側には、内膜材降下制限用ロープ８が展張されている。これは、バイオガスによる内圧が減ったときでも内膜材３が有機廃棄物で汚れるのを防止するものである。
【００１９】
つぎに、プリプレグ層状材形成工程は、まず、光硬化性プリプレグ９を層状に重ねてプリプレグ層状材１０を形成する工程である（ステップＳ２）。光硬化性プリプレグ９とは、シート状のガラス繊維に光硬化性樹脂を含浸させたものであり、プリプレグ層状材１０は、１枚または複数枚の光硬化性プリプレグ９を層状に重ねて構成したものである。例えば、細長い光硬化性プリプレグ９を複数枚積層させて構成したり（図８（ａ））、一枚の光硬化性プリプレグ９を折り畳んで多層状に構成したり（図８（ｂ））、ポリカーボネート等から構成される光透過性芯材２０の外周に寿司巻きの如く１層または多層状に構成したり（図９（ａ），（ｂ））、光透過性芯材２０に光硬化性プリプレグ９をスパイラル状に巻き付けたり（図１０（ａ））、光透過性芯材２０を介在して上下に積層させて構成してもよい（図１０（ｂ））。
【００２０】
本実施形態では、図８（ａ）に示すように複数枚の光硬化性プリプレグ９を積層させるタイプを使用する。プリプレグ層状材１０の強度は、重なる層数によって大きく影響されるため、ＦＲＰ製構造体１に必要な全体強度や部分強度に応じて層状枚数が任意に設定される。また、光透過性芯材２０を使用すれば、プリプレグ層状材１０の断面係数を高めることができるため、より軽くて高強度の構造材が得られる。
【００２１】
図４に示すように、本実施形態では、ＦＲＰ製構造体１の骨材に適用すべく長尺状の複数枚の光硬化性プリプレグ９を積層した柱状プリプレグ層状材１０ａと、天井の積雪に耐えるべく略円形状の光硬化性プリプレグ９を積層した円盤状プリプレグ層状材１０ｂとを用いている。柱状プリプレグ層状材１０ａと円盤状プリプレグ層状材１０ｂとの接合部は、単純に上下に重ねてもよいが、より結合力を高めるために、１枚１枚の光硬化性プリプレグ９同士を交互に重ね合わせて接着させてもよい。
【００２２】
つぎに、接着防止処理工程は、光硬化性プリプレグ９によって接着してはいけない部分に接着防止処理を施す工程である（ステップＳ３）。これは、プリプレグ層状材１０を圧接した際に光硬化性樹脂１５が漏れ出て内膜材３がプリプレグ層状材１０に接着してしまうのを防止するためのものである。本工程では、プリプレグ層状材１０のうち少なくとも内膜材３に接触する面を接着防止処理する。例えば、内膜材３と接触する面にポリビニルアルコール等の離型材を直接あるいはマスキングを介して塗布してもよい。本実施形態では、光硬化性樹脂１５の漏れ量が多い場合にも対処できるようにするため、接着防止処理としては、プリプレグ層状材１０の接着部以外の部分を筒状のビニル袋等から構成される光透過性の接着防止筒状フィルム１１によって被覆している。
【００２３】
例えば、柱状プリプレグ層状材１０ａに対しては、下部構造体２や円盤状プリプレグ層状材１０ｂと接着するため、図１１に示すように、両端の接着部１０１ａ以外の部分を光透過性の接着防止筒状フィルム１１によって被覆している。また、円盤状プリプレグ層状材１０ｂに対しては、図１２に示すように、柱状プリプレグ層状材１０ａと接着する接着部１０１ｂ以外の部分を接着防止筒状フィルム１１によって被覆している。これにより、光硬化性プリプレグ９に含浸させた未硬化の光硬化性樹脂１５が、圧接の際に外に漏れても内膜材３に接着してしまうのを防止できる。
【００２４】
つぎに、プリプレグ層状材配置工程は、膨張させた内膜材３の外表面に沿って硬化前のプリプレグ層状材１０を配置する工程である（ステップＳ４）。プリプレグ層状材１０は、シート状の光硬化性プリプレグ９を重ねてなる構造であるため、極めて柔軟性に富み、形状の自由度が高く必要な配置場所に任意の形状に変形させて配置できる。図４に示すように、本実施形態では、膨張された内膜材３の頂上部に円盤状プリプレグ層状材１０ｂを配置するとともに、この円盤状プリプレグ層状材１０ｂから内膜材３に沿って放射状に複数の柱状プリプレグ層状材１０ａを配置する。このとき、図２（ｂ）に示すように、柱状プリプレグ層状材１０ａの下端の接着部１０１ａを下部構造体２の下地材４に接触させておき、上端の接着部１０１ａを円盤状プリプレグ層状材１０ｂの接着部１０１ｂに接触させておく。これにより、各プリプレグ層状材１０ａ，１０ｂの接着部１０１に紫外線を当てると光硬化性樹脂１５が硬化し、接着される。
【００２５】
つぎに、真空圧接用フィルム被覆工程は、図２（ｃ）および図５に示すように、内膜材３および各プリプレグ層状材１０ａ，１０ｂの外側に、ポリ塩化ビニルやポリエチレン等から構成される光透過性の真空圧接用フィルム１２を密閉状態に被覆する（ステップＳ５）。この真空圧接用フィルム１２は、柱状プリプレグ層状材１０ａおよび円盤状プリプレグ層状材１０ｂの全体を覆い、弛みを持たせてその端部がシール材１３により下地材４に密閉接着されている。また、真空圧接用フィルム１２における真空ポンプ１４の吸引口に対向する下部構造体２には、全周に渡ってガラスクロステープ１４ａが貼られている。これは真空ポンプ１４によって内部の空気が吸引された際に、真空圧接用フィルム１２が下部構造体２に密着してしまうのを防ぎ、真空引きできなくなるのを防止するものである。
【００２６】
つぎに、プリプレグ真空圧接工程は、真空圧接用フィルム１２と内膜材３との間の空気を真空ポンプ１４により吸引して真空状態にする工程である（ステップＳ６）。この工程では、図１３（ａ）に示す状態から、真空圧接用フィルム１２が内膜材３側に引き寄せられ、柱状プリプレグ層状材１０ａおよび円盤状プリプレグ層状材１０ｂを内膜材３に密接させる。これにより、図１３（ｂ）に示すように、各プリプレグ層状材１０ａ，１０ｂは、真空圧接用フィルム１２と内膜材３とによって内外から圧接され、内膜材３の外表面に沿って成形される。また、これらプリプレグ層状材１０ａ，１０ｂを構成している各光硬化性プリプレグ９も互いに圧接され、相互の隙間を埋める。
【００２７】
この圧接により、プリプレグ層状材１０ａ，１０ｂの側面からは、各光硬化性プリプレグ９に含浸されている光硬化樹脂１５がしみ出る。これをそのまま放置すると、光硬化樹脂１５が内膜材３に接着して膨張減縮を妨げたり、鋭利な形状に硬化して内膜材３を破いてしまうおそれがある。しかし、本実施形態では、プリプレグ層状材１０の接着部１０１ａ，１０１ｂ以外の部分を接着防止筒状フィルム１１によって被覆しているため、図１３（ｂ）に示すように、この接着防止筒状フィルム１１が漏れた光硬化樹脂１５を包み込み、内膜材３に接着したり、鋭利に硬化するのを防止するようになっている。
【００２８】
つぎに、光硬化工程は、圧接状態にあるプリプレグ層状材１０に光を照射して硬化させる工程である（ステップＳ７）。本実施形態では、光硬化性プリプレグ９を使用しているため太陽光で硬化させることができ、加熱等の温度条件を制御する必要はない。これは特に北海道等の寒冷地においては気候に影響されない点でメリットがあるし、温暖地においても硬化を抑制する難しさから開放される。もちろん必要に応じて、図５に示すような紫外線ランプ１６を照射してもよい。この工程によって簡単に各プリプレグ層状材１０ａ，１０ｂが所望の形状を保持しながら硬化し、軽くて強固なＦＲＰ構造材を構成するとともに、各接着部１０１ａ，１０１ｂが互いに接着する。
【００２９】
つぎに、内膜材剥離工程は、各プリプレグ層状材１０ａ，１０ｂと接着してしまった内膜材３を剥離する工程である（ステップＳ８）。この工程は、図６に示すように、真空圧接用フィルム１２を取り除いた後、内膜材３内部の空気を抜くことにより、内膜材３を各プリプレグ層状材１０ａ，１０ｂから剥離する。この工程は、接着防止筒状フィルム１１等の接着防止処理によりほぼ円滑に進められるが、もし漏れて接着されている部分がある場合には、内膜材３が破損しないように剥離を慎重に行う必要がある。
【００３０】
つぎに、外膜材被覆工程は、図７に示すように、内膜材３および各プリプレグ層状材１０ａ，１０ｂの外側に外膜材１７を取り付ける工程である（ステップＳ９）。この工程は、図２（ｄ）に示すように、ＰＣ鋼製のより線１８を下部構造体２の外周に巻回し、このより線１８に取り付けた固定ロープ１９を、外膜材１７の端部に穿設したハトメ（図示せず）に貫通させて結合する。この外膜材１７は、耐候性や耐久性を図るためのものであり、内膜材３を保護する必要のない環境下の場合には設けなくてもよい。また、前述した真空圧接用フィルム１２を外膜材１７としてそのまま使用してもよい。
【００３１】
以上の各工程により、下部構造体２と、この下部構造体２に取り付けられる半球状の内膜材３と、硬化した柱状プリプレグ層状材１０ａおよび円盤状プリプレグ層状材１０ｂからなる骨組構造材と、これら内膜材３および骨組構造材を被覆する外膜材１７とから構成されるＦＲＰ製構造体１が製造される。
【００３２】
以上の本実施形態によれば、
１．光硬化プリプレグ９から構造物の骨材や壁材に使用可能な高強度構造材を製造できる。
２．建築現場において、プリプレグ層状材１０を使用した構造材を製造できるため、成型治具が不要であるし、工場生産自体の必要がなくなる。このことは嵩張りやすい構造材を運搬しなくてよいため、運搬コストの大幅な低減を図ることができる。
３．建築現場において、プリプレグ層状材１０の成形および配置がほぼ同時に行われるため、バイオガスドームの構造材成形および構造体建築が同時に進行され、工期の大幅短縮ができ、建築コストも大幅に低減できる。
４．プリプレグ層状材１０により建築した後は太陽光などによって硬化させるだけなので、温度条件などの難しい制御が不要であり、そのためのシステムが必要ない。
５．光硬化プリプレグ９の枚数や構造を変更するだけで任意に構造材の強度を選択できるため、積雪や台風等の環境レベルに併せて適宜、高強度のバイオガスドームを構築することができる等の効果を奏する。
【００３３】
なお、本発明に係るＦＲＰ製構造体１は、前述した実施形態に限定されるものではなく、適宜変更することができる。
【００３４】
例えば、本実施形態では、８本の柱状プリプレグ層状材１０ａを円盤状プリプレグ層状材１０ｂから放射状に配置して骨組を形成しているが、これに限らず、ＦＲＰ製構造体１が必要とする強度に応じて、本数を増減させたり、配置位置を変更したり、あるいは面状の部分を増やしてもよい。また、本実施形態では、内膜材３を半球形状に膨張させているが、これに限らず、内膜材３への空気の充填率を調節したり、内膜材３自体の形状を適宜設定することで、図１４（ａ）〜（ｃ）に示すように、３／４球形状のＦＲＰ製構造体１Ａ、マッシュルーム形状のＦＲＰ製構造体１Ｂ、あるいは皿形状のＦＲＰ製構造体１Ｃ等にしてもよい。
【００３５】
また、本実施形態では、バイオガスドームを例に挙げているがこれに限られるものではなく、雪氷冷熱利用施設等の他の構造物における屋根等として適用することもできる。また、本実施形態ではバイオガスドームを想定しているため内膜材３をそのまま残し、剥離工程を設けているが、他のＦＲＰ製構造体１として使用する場合に不要であれば内膜材３を除去したり、逆に剥離工程を行わないようにしてもよい。
【００３６】
なお、プリプレグ層状材１０の配置方法に際しては、内膜材３をプリプレグ層状材１０の成形型として利用しているが、これに限られるものではなく、鉄パイプ等により骨組を構築し、この骨組にビニルシート等を展張させて多面体を形成し、これを成形型として使用してもよい。
【図面の簡単な説明】
【００３７】
【図１】本発明に係る繊維強化プラスチック製構造体の製造方法の一実施形態を示すフローチャート図である。
【図２】本実施形態において、（ａ）内膜材を下部構造体に取り付けた状態、（ｂ）プリプレグ層状材を固定した状態、（ｃ）真空圧接用フィルムを取り付けた状態、および（ｄ）外膜材を取り付けた状態を示す断面図である。
【図３】本実施形態において内膜材を膨張させた状態を示す斜視図である。
【図４】本実施形態においてプリプレグ層状材を内膜材の外表面に配置した状態を示す斜視図である。
【図５】本実施形態において真空圧接用フィルムを被覆した状態を示す斜視図である。
【図６】本実施形態において内膜材を剥離させた状態を示す斜視図である。
【図７】本実施形態において外膜材を被覆した状態を示す斜視図である。
【図８】本実施形態のプリプレグ層状材のうち、（ａ）複数枚の光硬化性プリプレグを積層させたタイプ、（ｂ）一枚の光硬化性プリプレグを折り畳んで多層状に構成したタイプを示す概略斜視図である。
【図９】本実施形態のプリプレグ層状材のうち、（ａ）円筒状の光透過性芯材の外周に寿司巻き状に形成したタイプ、（ｂ）断面四角形状の光透過性芯材に寿司巻き状に形成したタイプを示す概略斜視図である。
【図１０】本実施形態のプリプレグ層状材をのうち、（ａ）円筒状の光透過性芯材にスパイラル状に巻き付けたタイプ（ｂ）特殊形状の光透過性芯材の上下に積層させたタイプを示す概略斜視図である。
【図１１】本実施形態の柱状プリプレグ層状材に接着防止筒状フィルムを被覆した状態を示す概略斜視図である。
【図１２】本実施形態の円盤状プリプレグ層状材に接着防止筒状フィルムを被覆した状態を示す概略平面図である。
【図１３】本実施形態の内膜材と真空圧接用フィルム間の空気を、（ａ）吸引する前の状態、（ｂ）吸引した後の状態を示す断面図である。
【図１４】本実施形態の内膜材を、（ａ）３／４球形状、（ｂ）マッシュルーム形状、および（ｃ）皿形状に膨張させた状態を示す全体図である。
【符号の説明】
【００３８】
１，１Ａ，１Ｂ，１Ｃ  繊維強化プラスチック製構造体
２  下部構造体
３  内膜材
４  下地材
５  押え板
６  ボルト
７  給気ブロワ
８  内膜材降下制限用ロープ
９  光硬化性プリプレグ
１０  プリプレグ層状材
１０ａ  柱状プリプレグ層状材
１０ｂ  円盤状プリプレグ層状材
１１  接着防止筒状フィルム
１２  真空圧接用フィルム
１３  シール材
１４  真空ポンプ
１４ａ  ガラスクロステープ
１５  光硬化性樹脂
１６  紫外線ランプ
１７  外膜材
１８  より線
１９  固定ロープ
２０  光透過性芯材
２１  開口部
１０１ａ，１０１ｂ  接着部
【図１】
2005172180.tif 000003
【図２】
2005172180.tif 000004
【図３】
2005172180.tif 000005
【図４】
2005172180.tif 000006
【図５】
2005172180.tif 000007
【図６】
2005172180.tif 000008
【図７】
2005172180.tif 000009
【図８】
2005172180.tif 000010
【図９】
2005172180.tif 000011
【図１０】
2005172180.tif 000012
【図１１】
2005172180.tif 000013
【図１２】
2005172180.tif 000014
【図１３】
2005172180.tif 000015
【図１４】
2005172180.tif 000016